(57)【要約】【課題】指針の回動範囲を考慮した表示装置の配置が可能な表示装置を提供する。【解決手段】指針３と、この指針３が指示する指標部４１とこの指標部４１の背景となる背景部４２ｂとを設けた表示板４と、をそれぞれ有する第１の表示部及び第２の表示部２０を備え、第１の表示部１０と第２の表示部２０との間に配置される液晶表示部３０を備えた表示装置において、第１及び第２の表示部１０，２０はそれぞれ第１及び第２の装飾部材４４ａ、４４ｂによって囲まれ、第２の装飾部材４４ｂの内側に、第２の表示部２０と液晶表示部３０とが部分的に重なって視認される第３の表示部２０Ｓを備え、第１の表示部１０は、液晶表示部３０の正面視で右側に配置され、第２の表示部２０は、液晶表示部３０の正面視で左側に配置され、液晶表示部の中心点Ｂが、表示装置の中心点Ａよりも液晶表示部３０の正面視で左側に位置する。【選択図】  図１
2012194138.tif 000002
【特許請求の範囲】
【請求項１】
指針と、この指針が指示する指標部とこの指標部の背景となる背景部とを設けた表示板と、をそれぞれ有する第１の表示部及び第２の表示部を備え、前記第１の表示部と前記第２の表示部との間に配置される液晶表示部を備えた表示装置において、
前記第１及び第２の表示部はそれぞれ第１及び第２の装飾部材によって囲まれ、前記第２の装飾部材の内側に、前記第２の表示部と前記液晶表示部とが部分的に重なって視認される第３の表示部を備え、
前記第１の表示部は、前記液晶表示部の正面視で右側に配置され、
前記第２の表示部は、前記液晶表示部の正面視で左側に配置され、
前記液晶表示部の中心点が、前記表示装置の中心点よりも前記液晶表示部の正面視で左側に位置することを特徴とする表示装置。
【請求項２】
前記第２の表示部と前記第３の表示部とが、同一もしくは類似した背景部を有していることを特徴とする請求項１に記載の表示装置。
【請求項３】
前記液晶表示部は、第３の装飾部材によってその表示範囲が囲まれた第４の表示部を有し、前記第４の表示部以外の前記液晶表示部が、前記背景部と同一もしくは類似した背景画を有していることを特徴とする請求項１から請求項３に記載の表示装置。
【請求項４】
前記第３の装飾部材が前記液晶表示部を通過した光によって照明されることを特徴とする請求項３に記載の表示装置。
【発明の詳細な説明】
【技術分野】
【０００１】
本発明は、液晶表示部とメータ表示部とが隣接配置された表示装置に関するものである。
【背景技術】
【０００２】
液晶表示部とメータ表示部とが隣接配置された表示装置としては、例えば下記特許文献１がある。この表示装置は、二つのメータ表示部の間に液晶表示部が配置されている。液晶表示部とメータ表示部とは、メータ表示部を前記指針が回動する形状（円形）に合わせて形成し、メータ表示部と重なる液晶表示部は液晶を封止することで、各表示領域を区分させている。                                                                                                                                                                                                                                                                            
【先行技術文献】
【特許文献】
【０００３】
【特許文献１】特開２０１０―１２７８３２号公報
【発明の概要】
【発明が解決しようとする課題】
【０００４】
ところで、近年の液晶を用いた表示装置においては、より広い表示エリアの確保が要求されており、特許文献１のような、液晶表示部の表示エリアを狭めてしまう配置は好ましくない傾向にある。
そこで、液晶表示部とメータ表示部との一部が重なるように配置して、液晶表示部をより広く確保することも考えられるが、通常指針の回転は時計回りに動くことが要求されるため、指針の回動始点（例えば、スピードメータの正面左下側の０ｋｍ／ｈを示す指標部）が、他の表示部材（例えば液晶ディスプレイ）などによって遮られてしまう場合、時計回りに回動する指針は、遮られた分だけ該始点の位置を移動するなどして、その回動範囲が狭められてしまう。
また、指針を反時計回りに回動する方法も考えられるが、指針が時計回りに回動することに慣れている観察者に違和感を与えてしまうという問題点があった。
【課題を解決するための手段】
【０００５】
そこで本発明は、指針と、この指針が指示する指標部とこの指標部の背景となる背景部とを設けた表示板と、をそれぞれ有する第１の表示部及び第２の表示部を備え、前記第１の表示部と前記第２の表示部との間に配置される液晶表示部を備えた表示装置において、
前記第１及び第２の表示部はそれぞれ第１及び第２の装飾部材によって囲まれ、前記第２の装飾部材の内側に、前記第２の表示部と前記液晶表示部とが部分的に重なって視認される第３の表示部を備え、
前記第１の表示部は、前記液晶表示部の正面視で右側に配置され、
前記第２の表示部は、前記液晶表示部の正面視で左側に配置され、
前記液晶表示部の中心点が、前記表示装置の中心点よりも前記液晶表示部の正面視で左側に位置することを特徴とするものである。
【０００６】
このように構成することによって、表示装置を正面から見たときに、前記液晶表示部が中心から左側にずれるように配置し、液晶表示部と第２の表示部の一部が重なった第３の表示部が設けられていることで、前記液晶表示部を縮小することなく、また、前記第１の表示部の指針の回動範囲を縮小することなく、前記液晶表示部の配置が可能な表示装置を提供することができる。
【０００７】
また本発明は、前記第２の表示部と前記第３の表示部とが、同一もしくは類似した背景部を有しているものである。
このように構成することによって、前記第２の表示部と前記第３の表示部との境界線を目立たなくし違和感を少なくした表示装置を提供することができる。
【０００８】
また本発明は、前記液晶表示部は、第３の装飾部材によってその表示範囲が囲まれた第４の表示部を有し、前記第４の表示部以外の前記液晶表示部が、前記背景部と同一もしくは類似した背景画を有しているものである。
このように構成することによって、前記第２，３の表示部と前記第４の表示部との境界線を目立たなくし違和感を少なくした表示装置を提供することができる。
【０００９】
また本発明は、前記第３の装飾部材が前記液晶表示部を通過した光によって照明されるものである。
【発明の効果】
【００１０】
本発明によれば、指針の回動範囲を考慮した表示装置の配置が可能な表示装置を得ることができる。
【図面の簡単な説明】
【００１１】
【図１】本発明の第１実施形態を示す液晶表示装置の正面図。
【図２】同液晶表示装置のＸ−Ｘ断面図。
【図３】本発明の第２実施形態を示す液晶表示装置の正面図。
【図４】同液晶表示装置のＹ−Ｙ断面図。
【発明を実施するための形態】
【００１２】
以下、本発明の実施形態に係る表示装置を添付の図面を参照して具体的に説明する。
【００１３】
本発明の表示装置は、透明な上ケース１と、黒色の合成樹脂からなる見返し部材２と、指針３と、表示板４と、駆動源５と、回路基板６と、光源７と、回路基板６と表示板４との間に配置される中ケース８と、回路基板６が配置される下ケース９とを有し、図１中、表示装置の右側に位置する第１の表示部１０と、左側に位置する第２の表示部２０と、第１の表示部１０と第２の表示部２０との間に配置された液晶表示部３０とによって水平方向に一列に構成される。
【００１４】
指針３は、駆動源５から延出する指針軸５１の先端に装着される基部３１と、表示板４に設けられる指標部４１ａ、４１ｂを指示する指示部３２とから構成され、第１の表示部１０を指示する第１の指針３ａと、第２の表示部２０を指示する第２の指針３ｂとを有している。また、指針３は、指針軸５１の左下側に設けられる始点となる指標部から、計測値の増加にともなって時計回りに回動して、所望の指標部を指示するように作動される。
【００１５】
表示板４は、透明な合成樹脂パネルからなる基材にインクジェットあるいはＣＭＹＫ印刷などの手法により、所定の色の目盛，文字，マーク等が形成された透光性の指標部４１ａ、４１ｂと、この指標部４１ａ、４１ｂの周囲を囲むように目盛，文字，マーク等の背景となる背景部４２ａ、４２ｂとを備えた第１、第２の表示部１０、２０と、観察者から液晶表示器３０が透視可能なように設けられた透視窓４３を有している。
【００１６】
表示板４には第１、第２の表示部１０，２０の外周に、例えば金属調の塗装が施された合成樹脂からなる第１、第２の装飾リング４４ａ、４４ｂが配置されている。
【００１７】
第２の表示部２０は、第２の装飾リング４４ｂによって囲まれ、尚かつ液晶表示部３０が透視窓４３を通して視認される第３の表示部２０Ｓを有している。
【００１８】
回路基板６は、硬質の基板からなり、図示しないが回路パターン等が印刷されている。回路基板６は、背面側にステッピングモータなどの駆動源５を有し、駆動源５から延出する指針軸５１が貫通するための貫通孔（図示せず）が設けられ、その前面側に指針３と表示板４を照明するための光源７が複数実装されている。なお、駆動源５は、それぞれ第１、第２の指針３ａ、３ｂを駆動する第１、第２の駆動源５ａ、５ｂからなる。
【００１９】
液晶表示器３０は、２枚のガラス基板間に液晶分子を封入し、各々のガラス基板に例えばスモーク調の偏光膜を貼り合わせた矩形の液晶表示パネル３１１と、この液晶表示パネル３１１の裏面側に配置され光透過性を有する図示しない拡散板と、液晶表示パネル３１１および拡散板が支持されるホルダー３２と、液晶表示パネル３１１の表面側周縁を抑える枠状の縁部を有する図示しないパネル抑えと、回路基板６上に実装され液晶表示パネル３１１を背後から照明する液晶用光源３３とから主に構成される。
【００２０】
また、液晶表示器３０は、第１の表示部１０の指針軸５１と、第２の表示部１０の指針軸との間に設けることができ、液晶表示部３０の中心点Ｂが、表示装置の中心点Ａよりも左側に位置するように配置される。
【００２１】
なお、これら各部品は液晶表示器３０としてユニット化され、表示板４と回路基板６との間であって、観察者が透視窓４３から液晶表示パネル３１１を視認できるように配置されている。また本実施形態では、表示装置として液晶表示器３０を適用したが、電気信号に応じて情報を表示するものでれば液晶表示器３０に限らず任意の表示素子を適用でき、例えば有機ＥＬ素子を用いたＥＬパネルであってもよい。
【００２２】
図１に示すように、第１の表示部１０は、第１の指針３ａが第１の指標部４１ａを指示しながら指針回動範囲をほぼ３６０度時計回りに回動できるように、表示装置の右端に設けられている。第２の表示部２０は、指針軸５１の左下側に設けられる指標部（最小値）を始点として第２の指針３ｂが第２の指標部４１ｂを指示しながら指針回動範囲をほぼ１８０度時計回りに回動できるように、表示装置の左端に設けられている。第２の表示部２０の第２の装飾リング４４ｂ内であって液晶表示パネル３１１と重なる箇所には、例えば警告マークなどの車両情報が表示される。液晶表示器３０の表示範囲内であって、第２の表示部２０と重ならない箇所は、例えばナビゲーションシステムなどの車両情報が表示される。  
【００２３】
このように、指針３と、この指針３が指示する指標部４１とこの指標部４１の背景となる背景部４２ｂとを設けた表示板４と、をそれぞれ有する第１の表示部及び第２の表示部２０を備え、第１の表示部１０と第２の表示部２０との間に配置される液晶表示部３０を備えた表示装置において、
第１及び第２の表示部１０，２０はそれぞれ第１及び第２の装飾部材４４ａ、４４ｂによって囲まれ、第２の装飾部材４４ｂの内側に、第２の表示部２０と液晶表示部３０とが部分的に重なって視認される第３の表示部２０Ｓを備え、
第１の表示部１０は、液晶表示部３０の正面視で右側に配置され、
第２の表示部２０は、液晶表示部３０の正面視で左側に配置され、
液晶表示部の中心点Ｂが、表示装置の中心点Ａよりも液晶表示部３０の正面視で左側に位置することで、液晶表示部３０を縮小することなく、また、第１の指針３ａの回動範囲を縮小することなく、液晶表示部３０の効率のよい配置が可能な表示装置を提供することができる。
【００２４】
また、本発明は、第２の表示部２０と第３の表示部３０とが、同一もしくは類似した背景部を有していることによって、第２の表示部２０と液晶表示部３０との境界線を目立たなくし違和感を少なくした表示装置を提供することができる。
【００２５】
次に、図３，４に示した第２の実施形態を説明するが、第１の実施形態と同一部材には同一の符号を付し、その説明は省略する。
【００２６】
表示板４は、液晶表示エリアＴを囲むように第３の装飾リング４４ｃを有し、第３の装飾リング４４ｃに囲まれた第４の表示部３０Ｓにおいて、例えばナビゲーション情報などを表示する。
【００２７】
また、液晶表示部３０であって第２の表示部２０と第４の表示部３０Ｓとを除いた箇所に、第２の表示部の背景部４２ｂと、第３の表示部２０Ｓの背景部と同じもしくは類似した背景画像を表示している。
【００２８】
このように、液晶表示部３０は、第３の装飾リング４４ｃによってその表示範囲が囲まれた第４の表示部３０Ｓを有し、第４の表示部３０Ｓ以外の液晶表示部３０が、背景部４２ｂと同一もしくは類似した背景画を有していることによって、前記第２，３の表示部と前記第４の表示部との境界線を目立たなくし違和感を少なくした表示装置を提供することができる。
【００２９】
また、第３の装飾リング４４ｃは、液晶表示部３０を通過する液晶用光源３３の光によって照明されるようにしてもよい。
【符号の説明】
【００３０】
１    上ケース
２    見返し板
３    指針
４    表示板
５    駆動源
６    回路基板
７    光源
８    中ケース
９    下ケース
１０    第１の表示部
２０    第２の表示部
２０Ｓ  第３の表示部
３０    液晶表示部
３０Ｓ  第４の表示部
３３    液晶用光源
４１    指標部
４２ｂ  背景部
４３    透視窓
４４ａ  第１の装飾リング
４４ｂ  第２の装飾リング
４４ｃ  第３の装飾リング
３１１  液晶表示パネル
Ａ      表示装置の中心点
Ｂ      液晶表示部の中心点
Ｔ      液晶表示エリア
【図１】
2012194138.tif 000003
【図２】
2012194138.tif 000004
【図３】
2012194138.tif 000005
【図４】
2012194138.tif 000006